(57)【要約】【課題】センサをトッププレート裏面に押し付けることができなくなること。【解決手段】加熱コイル中央とコイル間に設けられたセンサは加熱コイルの下側で一体型に連結されており、ケースよりスプリングを介してトッププレート裏面に押し当てるように支持することにより、部品点数の少ない安価で簡易な構成で、コイルベースが傾いて保持されてしまう異常時においても、複数のセンサをトッププレート裏面に必ず押し当てることができ、トッププレート上の鍋温度を常にセンサで温度検知させることができることとなる。【選択図】図３
2007287536.tif 000002
【特許請求の範囲】
【請求項１】
２重の円盤状に巻かれた加熱コイルと、前記加熱コイルを保持するコイルベースと、前記加熱コイル上方に設置されたトッププレートと、前記加熱コイル中央と１重目および１重目と２重目の間に設けられたセンサと、前記加熱コイルを制御する制御基板と、前記制御基板上の部品や前記加熱コイルを冷却するファンおよびモータと、外郭を構成するケースと、機器を操作する操作部を備え、加熱コイル中央と１重目および１重目と２重目の間に設けられた前記センサは前記加熱コイルの下側で一体型に連結されており、ケースよりスプリングを介してトッププレート裏面に押し当てるように支持した誘導加熱調理器。
【請求項２】
センサ素子を保持するセンサ保持部材を別部品で構成した請求項１記載の誘導加熱調理器。
【請求項３】
センサ素子を絶縁チューブで覆い、センサ保持部材を金属部品で構成した請求項１記載の誘導加熱調理器。
【請求項４】
センサ保持部材を板ばねに固定し、前記板ばねをケースに保持した請求項２記載の誘導加熱調理器。
【発明の詳細な説明】
【技術分野】
【０００１】
本発明は、加熱コイルの電磁誘導によりトッププレートの上に置かれた磁性の鍋を加熱調理する電磁誘導加熱調理器に関するものである。
【背景技術】
【０００２】
従来、この種の誘導加熱調理器としては、トッププレートの上に載せてある鍋の温度を検知するために、図１１のように、加熱コイルの中心に温度検知センサを設けて、トッププレート裏側、あるいはトッププレート裏面に設けられた集熱板に接するようにスプリングを介してコイルベースに保持させて、トッププレートの温度を検知することにより、トッププレートと接している鍋底の温度を間接的に検知する方法を採用している（例えば、特許文献１参照）。
【特許文献１】特許第３２１８４５２号公報（図１）
【発明の開示】
【発明が解決しようとする課題】
【０００３】
しかしながら、前記従来の構成では、加熱コイルの中央とコイル間に設けられた各センサがコイルベースにスプリングを介してそれぞれ設けられているため、センサ保持部品とスプリングがセンサの数と同じだけ必要で部品点数が多くなり、組立や配線処理の工数が増えてしまうという課題を有していた。また、センサがコイルベースに支持されているため、コイルベースを支持している部材が落下の衝撃で折れてしまって傾いたまま保持されてしまったり、異常時にコイル温度が上昇しすぎて、コイルベースが溶損してセンサを支持する位置が下がってしまい、スプリングの長さ以上の隙間ができ、センサを正常にトッププレート裏面に押し付けることができなくなる可能性があるという課題を有していた。
【０００４】
本発明は、前記従来の課題を解決するもので、複数のセンサを安価で簡易な構成で設けることができ、かつ異常時においても、複数のセンサをトッププレート裏面に必ず押し当てることができ、トッププレート上の鍋温度を常にセンサで温度検知させることができる誘導加熱調理器を提供することを目的とする。
【課題を解決するための手段】
【０００５】
前記従来の課題を解決するために、本発明の誘導加熱調理器は、２重の円盤状に巻かれた加熱コイルと、前記加熱コイルを保持するコイルベースと、前記加熱コイル上方に設置されたトッププレートと、前記加熱コイル中央と１重目および１重目と２重目の間に設けられたセンサと、前記加熱コイルを制御する制御基板と、前記制御基板上の部品や前記加熱コイルを冷却するファンおよびモータと、外郭を構成するケースと、機器を操作する操作部を備え、加熱コイル中央と１重目および１重目と２重目の間に設けられた前記センサは前記加熱コイルの下側で一体型に連結されており、ケースよりスプリングを介してトッププレート裏面に押し当てるように支持したものである。
【０００６】
これによって、複数のセンサを安価で簡易な構成で設けることができ、かつ異常時においても複数のセンサをトッププレート裏面に必ず押し当てることができ、トッププレート上の鍋温度を常にセンサで温度検知させることができる。
【発明の効果】
【０００７】
本発明の誘導加熱調理器は、複数のセンサを部品点数の少ない安価で簡易な構成で設けることができ、かつ、コイルベースが傾いて保持されてしまう異常時においても、複数のセンサをトッププレート裏面に必ず押し当てることができ、トッププレート上の鍋温度を常にセンサで温度検知させることができ、安全性をより向上させることができる。
【発明を実施するための最良の形態】
【０００８】
第１の発明は、２重の円盤状に巻かれた加熱コイルと、前記加熱コイルを保持するコイルベースと、前記加熱コイル上方に設置されたトッププレートと、前記加熱コイル中央と１重目および１重目と２重目の間に設けられたセンサと、前記加熱コイルを制御する制御基板と、前記制御基板上の部品や前記加熱コイルを冷却するファンおよびモータと、外郭を構成するケースと、機器を操作する操作部を備え、加熱コイル中央と１重目および１重目と２重目の間に設けられた前記センサは前記加熱コイルの下側で一体型に連結されており、ケースよりスプリングを介してトッププレート裏面に押し当てるように支持することによって、センサを保持する部品とスプリングが２つのセンサ素子に対してひとつずつで済むため、部品点数の少ない安価で簡易な構成とすることができる。また、コイルベースが傾いて保持されてしまう異常時においても、複数のセンサをトッププレート裏面に必ず押し当てることができ、トッププレート上の鍋温度を常にセンサで温度検知させることができ、安全性をより向上させることができる。
【０００９】
第２の発明は、特に第１の発明の誘導加熱調理器において、センサ素子を保持するセンサ保持部材を別部品で構成したことにより、加熱時に高温となっているトッププレートに接するところのみを耐熱性のある材料で構成でき、それ以外のところはあまり耐熱を必要としない一般材料で構成することができるため、高価な耐熱材料の使用量を少なくなり、合理化することができる。
【００１０】
第３の発明は、特に第１の発明の誘導加熱調理器において、センサ素子を絶縁チューブで覆い、センサ保持部材を金属部品で構成したことにより、センサの素子を樹脂より熱伝導の優れた金属材料で構成できるため、温度の受感性能が向上し、異常発熱時の検知時期を早くすることができる。
【００１１】
第４の発明は、特に第２の発明の誘導加熱調理器において、センサ保持部材を板ばねに固定し、板ばねをケースに保持したことにより、連結部材とばねを部品ひとつで構成できるため、合理化することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における誘導加熱調理器の外観の概略図を示すものである。
【００１４】
図１において、ケース上２ａとケース下２ｂが上下に合わさって製品の外郭を構成していて、ケース上２ａの上には耐熱強化ガラス製またはセラミックス製のトッププレート１が接着されている。図中のトッププレート１は四角形の平面であるが、これは丸型のものや、最外周に溝がついているものであっても特に支障はない。また、ケース上２ａの前方にはトッププレート１から低い面に液晶の表示窓を備えた操作部３が設けられている。
【００１５】
図２は本発明の第１の実施の形態における電磁誘導加熱調理器の内部構成図である。
【００１６】
図２は、ケース上２ａを取り外した状態を上から見ており、ケース下２ｂのほぼ中央に加熱コイル５が設けられ、加熱コイル５の下にはインバータ部の基板７が置かれ、前方には操作部の基板９が、右後方には電源部の基板８が置かれている。電源部の基板には、マグネットプラグを磁力でつけるプラグ受けが取り付けられている。また、加熱コイル５の左前方にはファン１０が設けられ、インバータ部の基板７に取り付けられている発熱部品を固定したヒートシンクやその他基板上の部品や加熱コイル５を冷却する。そのため、ケース下２ｂにはファン１０の下方に円形の吸気口があり、この吸気口から離れた側面および底面に排気口１２が設けられている。本実施の形態では、四角形状の製品であるため、排気口１２は後面と右後方側面に設けられている。
【００１７】
加熱コイル５は細い銅線を撚り合わせた束を円盤状になるように巻かれていて、フェライトを具備した絶縁物で構成したコイルベース６に載せられ、コイルホルダ１１にて挟まれて固定されている。加熱コイル５の中央と１重目の間と、１重目と２重目の間には、温度を検知するセンサ１４が設けられている。
【００１８】
図３は本発明の第１の実施の形態における誘導加熱調理器の断面図であり、図４はセンサユニットの概観図である。
【００１９】
加熱コイル５の中央と１重目の間と、１重目と２重目の間には、トッププレートの温度を検知するセンサ１４が設けられている。センサ１４は、サーミスタ素子１４ａとセンサホルダ１４ｂで構成されており、加熱コイル中央と１重目と、１重目と２重目の間に設けられた２つのサーミスタ素子１４ａは、耐熱性の高い樹脂で構成されたセンサホルダ１４ｂの上面にある溝にサーミスタ素子１４ａを埋め込まれており、コイルベース６の下側で一体型に連結されている。連結部のほぼ中央にセンサ１４を係止する穴が設けられ、スプリング１５を介してケース下２ｂに構成された軸に保持されていて、トッププレート１の裏側にサーミスタ素子１４ａが常に接するように押し付けられている。サーミスタ素子１４ａとセンサホルダ１４ｂの溝には少なからず隙間ができてしまうので、熱伝導の優れたオイルコンパウンドを塗ることにより、トッププレート１裏面からサーミスタ素子１４ａへの熱伝導を良好に保つことができる。
【００２０】
コイルベース６はケース下２ｂに設けられたボスに固定されて、トッププレート１の裏面に配置されている。ケース下２ｂの材料はトッププレート１や加熱コイル５から距離が離れており、温度の影響が少ないため、それほどの耐熱性ない安価なポリプロピレン等の一般樹脂が用いられている。加熱コイル５の径に対して小さい鍋や鍋底中央がへこんでいてセンサで正確に温度検知できないような鍋についても加熱できる場合、湯沸しや調理中など鍋の中に物が入っている場合は問題ないが、誤って空焼きを続けてしまうような異常状態で長時間加熱を行うと、センサは正常状態と判断しているのも関わらず、加熱コイル５やコイルベース６は温度が上昇しており、コイルベース６を保持しているボス部が軟化してトッププレート１裏面に対する加熱コイル５やセンサ１４の位置が下がってくる恐れがある。また、製品を落下してしまい、外観上は気づかなくても、ボスが折れてしまい、加熱コイル５が傾いた状態で保持されてしまうことも考えられる。
【００２１】
従来の構成であるセンサ１４をコイルベース６にスプリング１５を介して固定する物においては、ボス高さが低くなって、トッププレート１裏面からセンサ１４までの距離がスプリング１５の長さ以上に離れてしまうと、センサ１４がトッププレート１から浮いてしまい、正確に温度検知することができなくなってしまう。しかし、以上のように、本実施の形態においては、異常時の温度でケース２のボスが軟化してコイルベース６の高さが低くなったとしても、センサ１４はコイルベース６下側の別の軸で係止されているため、常にトッププレート１裏面に接しており、正常、異常に関わらず常に正確に温度検知をすることが可能であり、異常使用状態での安全性が高くなる。
【００２２】
（実施の形態２）
図５は本発明の第２の実施の形態における誘導加熱調理器の断面図であり、図６はセンサユニットの概観図である。
【００２３】
図５において、図３と異なる点は、センサホルダ１４ｂのサーミスタ素子１４ａ保持部が別部品で構成されている点である。
【００２４】
トッププレート１裏面に接する部分は、湯沸しで約１００℃、揚げ物で約２００℃、焼き物で約２５０℃と高温になる。したがって、この部分に使用できる樹脂材料は３００℃以上の耐熱性が必要となり、材料の値段が高くなり、また成形温度が高くなるので特別な成形機が必要となる。これに対して、本発明は、高価な材料の部品はトッププレート１に接する必要なところのみと限定して簡易な形状の別部品とすることにより、材料代と成形工数を低く抑えることができる。
【００２５】
同様の考えから、トッププレート１と接する部分を金属材料で構成することによっても、材料代を低く抑えることができる（図７、図８）。このときは、サーミスタ素子１４ａを絶縁チューブ１６で覆って、金属部との絶縁を確保する必要がある。
【００２６】
（実施の形態３）
図９は本発明の第３の実施の形態における誘導加熱調理器の断面図であり、図１０はセンサユニットの概観図である。
【００２７】
図９において、図５と異なる点は、２つのセンサホルダ１４ｂが板ばね１７に固定されており、スプリングの代わりに板ばねでトッププレート１に押し当てている点である。
【００２８】
実施の形態２と同様に、高価な材料の部品はトッププレート１に接する必要なところのみと限定して簡易な形状の別部品とすることに加えて、２つのセンサホルダ１４ｂを連結するものを板ばねとした。
【００２９】
これにより、スプリング方式に比べて高さ方向の必要距離が小さくなり、調理器としての器体高さを低く抑えることができる。また、加熱コイル裏面のコイルベースにはフェライトが置かれているので磁束が吸収され、板ばねの発熱は抑えられているので、磁性材料でも問題はない。
【産業上の利用可能性】
【００３０】
以上のように、本発明にかかる誘導加熱調理器は、複数のセンサを安価で簡易な構成で設けることができ、かつ異常時においても複数のセンサをトッププレート裏面に必ず押し当てることができ、トッププレート上の鍋温度を常にセンサで温度検知させることが可能となるので、卓上型を含め、据置型、組込み型等のトッププレートを介してセンサで温度検知している誘導加熱調理器全般に利用することができる。
【図面の簡単な説明】
【００３１】
【図１】本発明の実施の形態１における誘導加熱調理器の外観図
【図２】本発明の実施の形態１における誘導加熱調理器の内部構成図
【図３】本発明の実施の形態１における誘導加熱調理器の断面図
【図４】本発明の実施の形態１における誘導加熱調理器のセンサユニット概観図
【図５】本発明の実施の形態２における誘導加熱調理器の断面図
【図６】本発明の実施の形態２における誘導加熱調理器のセンサユニット概観図
【図７】本発明の実施の形態２における第２案の誘導加熱調理器の断面図
【図８】本発明の実施の形態２における第２案の誘導加熱調理器のセンサユニット概観図
【図９】本発明の実施の形態３における誘導加熱調理器の断面図
【図１０】本発明の実施の形態３における誘導加熱調理器のセンサユニット概観図
【図１１】従来の誘導加熱調理器の断面図
【符号の説明】
【００３２】
１  トッププレート
２  ケース
２ａ  ケース上
２ｂ  ケース下
３  操作部
５  加熱コイル
６  コイルベース
７  インバータ部の基板
８  電源部の基板
９  操作部の基板
１０  ファン
１１  コイルホルダ
１２  排気口
１３  垂直壁
１４  センサ
１４ａ  サーミスタ素子
１４ｂ  センサホルダ
１５  スプリング
１６  絶縁チューブ
１７  板ばね
【図１】
2007287536.tif 000003
【図２】
2007287536.tif 000004
【図３】
2007287536.tif 000005
【図４】
2007287536.tif 000006
【図５】
2007287536.tif 000007
【図６】
2007287536.tif 000008
【図７】
2007287536.tif 000009
【図８】
2007287536.tif 000010
【図９】
2007287536.tif 000011
【図１０】
2007287536.tif 000012
【図１１】
2007287536.tif 000013